(57)【要約】      （修正有）【課題】一つのティッシュペーパ束の収容空間の断面積が縦長矩形であっても、ティッシュペーパをティッシュペーパ取出口から取り出すとその下に積層された次のティッシュペーパの一部がティッシュペーパ取出口から引き出された状態を、最下層のティッシュペーパまで継続できるティッシュペーパボックスを提供すること。【解決手段】ボックス本体１１の上面にティッシュペーパ取出口２１，２２を備え、ボックス本体１１内には、ティッシュペーパ取出口２１，２２に対応し底面部より同ティッシュペーパ取出口に向かう二つのリブ１２ａ、１２ｂが配設されていると共に、各ティッシュペーパを二つ折りしかつ該二つ折りの間に下側及び上側に重なるティッシュペーパの半分を挟んで重ね合わせた二つのティッシュペーパ束１３Ａ、１３Ｂが二つのリブに逆Ｕ字に折り曲げて掛けられ収容され、二つのティッシュペーパ束の間が仕切り壁で仕切られている。【選択図】図１
0003139853.tif 000002
【実用新案登録請求の範囲】
【請求項１】
横長の直方体形状のボックス本体の上面に、該ボックス本体の長さ方向に沿って伸びるティッシュペーパ取出口を幅方向に並べて二つ備え、前記ボックス本体内には、前記各ティッシュペーパ取出口に対応し底面部より同ティッシュペーパ取出口に向かう二つのリブが配設されていると共に、各ティッシュペーパを二つ折りしかつ該二つ折りの間に下側及び上側に重なるティッシュペーパの半分を挟んで重ね合わせた二つのティッシュペーパ束が前記二つのリブに逆Ｕ字に折り曲げて掛けられ収容され、二つのティッシュペーパ束の間が仕切り壁で仕切られた構成である、
ことを特徴とするティッシュペーパボックス。
【請求項２】
横長の直方体形状のボックス本体の上面に、該ボックス本体の長さ方向に沿って伸びるティッシュペーパ取出口を幅方向に並べて二つ備え、前記ボックス本体内には、前記各ティッシュペーパ取出口に対応し底面部より同ティッシュペーパ取出口に向かう二つのリブが配設されていると共に、各ティッシュペーパを二つ折りしかつ該二つ折りの間に下側及び上側に重なるティッシュペーパの半分を挟んで重ね合わせた二つのティッシュペーパ束が前記二つのリブに逆Ｕ字に折り曲げて掛けられ収容され、二つのティッシュペーパ束の間が仕切り壁で仕切られた構成であり、
前記二つのリブが、板紙を二つの立ち上がり部を有するように折り曲げることにより形成された、
ことを特徴とするティッシュペーパボックス。
【請求項３】
横長の直方体形状のボックス本体の上面に、該ボックス本体の長さ方向に沿って伸びるティッシュペーパ取出口を幅方向に並べて二つ備え、前記ボックス本体内には、前記各ティッシュペーパ取出口に対応し底面部より同ティッシュペーパ取出口に向かう二つのリブが配設されていると共に、各ティッシュペーパを二つ折りしかつ該二つ折りの間に下側及び上側に重なるティッシュペーパの半分を挟んで重ね合わせた二つのティッシュペーパ束が前記二つのリブに逆Ｕ字に折り曲げて掛けられ収容され、二つのティッシュペーパ束の間が仕切り壁で仕切られた構成であり、
前記二つのリブと前記仕切り壁とが、板紙を三つの立ち上がり部を有するように折り曲げることにより形成された、
ことを特徴とするティッシュペーパボックス。
【考案の詳細な説明】
【技術分野】
【０００１】
本考案は、横長の直方体形状のボックス本体の上面に二つの取り出し口を備えたティッシュペーパボックスに関するものである。
【背景技術】
【０００２】
従来、横長の直方体形状のボックス本体の上面に二つのティッシュペーパ取り出し口を備えたティッシュペーパボックスとしては、特許文献１に記載されたものが知られている。このティッシュペーパボックスは、セパレータで内部空間を二つに分け、各空間に、ティッシュペーパ束（各ティッシュペーパを二つ折りしかつ該二つ折りの間に下側及び上側に重なるティッシュペーパの半分を挟んで重ね合わせた状態の束）を収納し、各ティッシュペーパ取り出し口から対応する空間内に収容したティッシュペーパを取り出せる構成である。
【０００３】
【特許文献１】特開平１０−１７５６８４号公報
【考案の開示】
【考案が解決しようとする課題】
【０００４】
しかしながら、特許文献１のティッシュペーパボックスは、通常市販されている大きさの商品と略同等の大きさの形態とし、内部空間を二つに分けて各空間にティッシュペーパ束を収容している構成として、実施することが好適であると考えられ、この大きさでは、上底面が幅広であり置き場所を広く必要とし、また持ち運びの面やコスト面で高くつき、通常市販されているティッシュペーパボックスと形態が同一であるから、販売促進用の景品として取り扱いたい、とする要望にはそぐわないものである。
【０００５】
そこで、特許文献１のティッシュペーパボックスを、通常市販されている大きさの幅広なティッシュペーパボックスを幅が半分となる大きさのコンパクトな形態とし、例えば、二つのティッシュペーパ束をブルータイプとピンクタイプとして販売促進用の景品として取り扱いたい、とする要望があるので、検討したところ、ティッシュペーパの取り出しに伴う次のティッシュペーパの一部取り出し機能が損なわれてしまうという、問題がある。
【０００６】
詳述すると、通常の幅広な商品に比して幅を約半分の大きさとした、特許文献１と同一構造のティッシュペーパボックスとして構成すると、片方の収容空間の断面積は縦長矩形となる。すると、ティッシュペーパ束が、各ティッシュペーパを二つ折りしかつ該二つ折りの間に下側及び上側に重なるティッシュペーパの半分を挟んで重ね合わせた状態の束であるために、この収容空間に収納されたティッシュペーパ束の積層高さの上半分までは、ティッシュペーパ取出口から次々にティッシュペーパの一部が引き出されるが、下半分は、ティッシュペーパをティッシュペーパ取出口から取り出しても、次のティッシュペーパの一部が引き続いてティッシュペーパ取出口から引き出される状態にはならない。
【０００７】
本考案は、上述した点に鑑み案出したもので、ボックス本体の一つのティッシュペーパ束の収容空間の断面積が縦長矩形であっても、ティッシュペーパをティッシュペーパ取出口から取り出すとその下に積層された次のティッシュペーパの一部がティッシュペーパ取出口から引き出された状態を、最下層のティッシュペーパまで継続できるティッシュペーパボックスを提供することを目的としている。
【課題を解決するための手段】
【０００８】
上記課題を解決するため、請求項１に記載の本考案に係るティッシュペーパボックスは、横長の直方体形状のボックス本体の上面に、該ボックス本体の長さ方向に沿って伸びるティッシュペーパ取出口を幅方向に並べて二つ備え、前記ボックス本体内には、前記各ティッシュペーパ取出口に対応し底面部より同ティッシュペーパ取出口に向かう二つのリブが配設されていると共に、各ティッシュペーパを二つ折りしかつ該二つ折りの間に下側及び上側に重なるティッシュペーパの半分を挟んで重ね合わせた二つのティッシュペーパ束が前記二つのリブに逆Ｕ字に折り曲げて掛けられ収容され、二つのティッシュペーパ束の間が仕切り壁で仕切られた構成である、ことを特徴とする。
【０００９】
また請求項２に記載の本考案に係るティッシュペーパボックスは、横長の直方体形状のボックス本体の上面に、該ボックス本体の長さ方向に沿って伸びるティッシュペーパ取出口を幅方向に並べて二つ備え、前記ボックス本体内には、前記各ティッシュペーパ取出口に対応し底面部より同ティッシュペーパ取出口に向かう二つのリブが配設されていると共に、各ティッシュペーパを二つ折りしかつ該二つ折りの間に下側及び上側に重なるティッシュペーパの半分を挟んで重ね合わせた二つのティッシュペーパ束が前記二つのリブに逆Ｕ字に折り曲げて掛けられ収容され、二つのティッシュペーパ束の間が仕切り壁で仕切られた構成であり、前記二つのリブが、板紙を二つの立ち上がり部を有するように折り曲げることにより形成された、ことを特徴とする。
【００１０】
さらに請求項３に記載の本考案に係るティッシュペーパボックスは、横長の直方体形状のボックス本体の上面に、該ボックス本体の長さ方向に沿って伸びるティッシュペーパ取出口を幅方向に並べて二つ備え、前記ボックス本体内には、前記各ティッシュペーパ取出口に対応し底面部より同ティッシュペーパ取出口に向かう二つのリブが配設されていると共に、各ティッシュペーパを二つ折りしかつ該二つ折りの間に下側及び上側に重なるティッシュペーパの半分を挟んで重ね合わせた二つのティッシュペーパ束が前記二つのリブに逆Ｕ字に折り曲げて掛けられ収容され、二つのティッシュペーパ束の間が仕切り壁で仕切られた構成であり、前記二つのリブと前記仕切り壁とが、板紙を三つの立ち上がり部を有するように折り曲げることにより形成された、ことを特徴とする。
【考案の効果】
【００１１】
請求項１に記載の本考案によれば、ボックス本体内に収納された二つのティッシュペーパ束のそれぞれは、リブに逆Ｕ字に折り曲げて掛けられており、下層のティッシュペーパについてもティッシュペーパ取出口に近いので、ボックス本体の一つのティッシュペーパ束の収容空間の断面積が縦長矩形であっても、ティッシュペーパをティッシュペーパ取出口から取り出すとその下に積層された次のティッシュペーパの一部がティッシュペーパ取出口から引き出された状態を、最下層のティッシュペーパまで継続できる。
【００１２】
請求項２に記載の本考案によれば、ボックス本体内に収納された二つのティッシュペーパ束のそれぞれは、リブに逆Ｕ字に折り曲げて掛けられており、下層のティッシュペーパについてもティッシュペーパ取出口に近いので、ボックス本体の一つのティッシュペーパ束の収容空間の断面積が縦長矩形であっても、ティッシュペーパをティッシュペーパ取出口から取り出すとその下に積層された次のティッシュペーパの一部がティッシュペーパ取出口から引き出された状態を、最下層のティッシュペーパまで継続できる。特に、二つのリブが板紙を折り曲げてなる一体形状であるから、二つのリブにティッシュペーパ束を逆Ｕ字に折り曲げ掛けた状態に持ったときに、これらリブとティッシュペーパ束とがずれないように保持できて、ボックス本体内に正しく収容することを容易に行える。
【００１３】
請求項３に記載の本考案によれば、ボックス本体内に収納された二つのティッシュペーパ束のそれぞれは、リブに逆Ｕ字に折り曲げて掛けられており、下層のティッシュペーパについてもティッシュペーパ取出口に近いので、ボックス本体の一つのティッシュペーパ束の収容空間の断面積が縦長矩形であっても、ティッシュペーパをティッシュペーパ取出口から取り出すとその下に積層された次のティッシュペーパの一部がティッシュペーパ取出口から引き出された状態を、最下層のティッシュペーパまで継続できる。特に、二つのリブと仕切り壁が板紙を折り曲げてなる一体形状であるから、ティッシュペーパ束を逆Ｕ字に折り曲げ二つのリブに掛けるだけで二つのティッシュペーパ束が不干渉板である仕切り壁で仕切られることになり、二つのリブにティッシュペーパ束を逆Ｕ字に折り曲げ掛けた状態に持ったときに、これらリブと仕切り壁とティッシュペーパ束とがずれないように保持できて、ボックス本体内に正しく収容することを容易に行える。また、仕切り壁が別部材ではないから、組み込み時に仕切り壁の入れ忘れを生ずる虞がなく、組み付け工数が少なくなり、組み付けが容易になる。
【考案を実施するための最良の形態】
【００１４】
以下、図面に基づき本考案の実施の形態について説明する。
【００１５】
〔実施の形態１〕
この実施の形態１に係るティッシュペーパボックスについて図１乃至図４を用いて説明する。このティッシュペーパボックス１０は、図１に示すように、ボックス本体１１と、二つのリブ１２ａ、１２ｂと仕切り壁１２ｃとを有するブラケット１２と、二つのティッシュペーパ束１３Ａ、１３Ｂとを備えてなり、図２に示すように、ブラケット１２の二つのリブ１２ａ、１２ｂにティッシュペーパ束１３Ａ、１３Ｂを掛けてから、ボックス本体１１内に収容し得るように構成されている。
【００１６】
ボックス本体１１は、板紙により折り目及びミシン状切り込みを付与して所要展開形状にプレス打ち抜き形成され、長手方向（水平方向）に対して垂直な断面形状が略正方形である横長の直方体の収容空間を形成するように折り上げられる。ボックス本体１１は、上面１１ａに、該ボックス本体の長さ方向に沿って伸びるティッシュペーパ取出口２１、２２を幅方向に並べて二つ備えている。このティッシュペーパ取出口２１、２２は、板紙に対してミシン目の切り込みを入れて切り開き可能に設けられている。この実施の形態では、ボックス本体１１は、底面部１１ｂが蓋となっていて、ここから、ブラケット１２の二つのリブ１２ａ、１２ｂに掛けた状態のティッシュペーパ束１３Ａ、１３Ｂを収容し得るように構成されている。蓋（底面部）１１ｂは、差し込み部１１ｃを有し、この差し込み部１１ｃに塗布された粘着剤で底面部１１ｂが閉じられた後は開かないようになっている。
【００１７】
ブラケット１２は、板紙に三つの立ち上がり部を有するように折り線をプレスにより付与されてなり、折り線より折り上げると、両側に合掌状に立ち上がるリブ１２ａ、１２ｂと、中央に合掌状に立ち上がる仕切り壁１２ｃとを有する。リブ１２ａ、１２ｂは、各ティッシュペーパ取出口２１、２２に対応し底面部より同ティッシュペーパ取出口２１、２２に向かうように立ち上がっていて、ボックス本体１１の上面との間に隙間があるように立ち上がっている。仕切り壁１２ｃは、ボックス本体１１の上面近傍まで高く立ち上がっている。これら三つの立ち上がり部によって四つに分かれるベース部１２ｅは、一平面状になってボックス本体１１の底面開口の略全面を塞ぐように収容され、底面部１１ｂに重なっている。
【００１８】
二つのティッシュペーパ束１３Ａ、１３Ｂは、図３に示すように、各ティッシュペーパを二つ折りしかつ該二つ折りの間に下側及び上側に重なるティッシュペーパの半分を挟んで重ね合わせた積層状態とされ、図１に示すように、逆Ｕ字に折り曲げてリブ１２ａ、１２ｂに掛けられ、ボックス本体１１内に略隙間なく収容され、仕切り壁１２ｃによって、ティッシュペーパ束の一方が取り出されるときに他方に干渉しないように二つのティッシュペーパ束１３Ａ、１３Ｂの間を仕切られている。
【００１９】
この実施の形態１によれば、ボックス本体１１内に収納された二つのティッシュペーパ束１３Ａ、１３Ｂは、それぞれリブ１２ａ、１２ｂに逆Ｕ字に折り曲げて掛けられており、最下層のティッシュペーパについても、ティッシュペーパ取出口２１、２２に十分に近いので、ティッシュペーパの折り畳み幅に対して取り出し口までの距離の方が小さい状態が維持されるから、ボックス本体１１の一つのティッシュペーパ束の収容空間の断面積が縦長矩形であっても、ティッシュペーパをティッシュペーパ取出口２１又は２２から取り出すとその下に積層された次のティッシュペーパの一部がティッシュペーパ取出口２１又は２２から引き出された状態を、最下層のティッシュペーパまで継続できる。
【００２０】
この実施の形態１によれば、二つのリブが、板紙を三つの立ち上がり部を有するように折り曲げることにより形成されている、すなわち、ブラケット１２が、板紙を折り曲げることにより、二つのリブ１２ａ、１２ｂと仕切り壁１２ｃとを備える構成であるので、ボックス本体１１内に収容できる状態に組み付けることが容易に行える。
以下、詳述する。図４に示すように、上面が特殊形状の冶具Ｇ１にブラケット１２を載せると、二つのリブ１２ａ、１２ｂと仕切り壁１２ｃとがそれぞれが三角山となるように安定して広がるそこで、二つのリブ１２ａ、１２ｂの三角山にティッシュペーパ束１３Ａ、１３Ｂの下面中央を載せ、逆Ｕ字に折り曲げて掛ける。次いで、三つの三角山を閉じるようにして、逆Ｕ字に折り曲げたティッシュペーパ束１３Ａ、１３Ｂを持ち上げれば、ボックス本体１１内に収容できる状態になる。
【００２１】
このように、実施の形態１によれば、二つのリブ１２ａ、１２ｂと仕切り壁１２ｃが板紙を折り曲げてなる一体形状であるブラケット１２を用いるから、ティッシュペーパ束１３Ａ、１３Ｂを逆Ｕ字に折り曲げ二つのリブ１２ａ、１２ｂに掛けることが極めて容易にできて、しかも、二つのティッシュペーパ束１３Ａ、１３Ｂが不干渉板である仕切り壁１２ｃで仕切るための仕切り壁１２ｃの挿入操作を行わなくても、二つのリブ１２ａ、１２ｂにティッシュペーパ束１３Ａ、１３Ｂを逆Ｕ字に折り曲げ掛けた状態に持ったときに、仕切り壁１２が自動的に仕切りする配置に組み上がる。そして、これらリブ１２ａ、１２ｂと仕切り壁１２ｃとティッシュペーパ束１３Ａ、１３Ｂとがずれないように保持できるから、ボックス本体１１内に正しく収容することを容易に行える。上記のように、仕切り壁１２ｃが別部材ではないから、組み込み時に仕切り壁１２ｃの入れ忘れを生ずる虞がなく、組み付け工数が少なく、組み付けが容易になる。なお、リブ１２ａ、１２ｂの両側にあるベース部分１２eは、なくても良い。ない場合には、リブ１２ａ、１２ｂは、ティッシュペーパを取り出し量が多くなりスペースが大きくなるに連れて広がり、ボックス本体１１の底面に安定して起立することができる。
【００２２】
〔実施の形態２〕
この実施の形態２に係るティッシュペーパボックスについて図５乃至図７を用いて説明する。このティッシュペーパボックス３０は、図５に示すように、ボックス本体３１と、二つのリブ３２ａ、３２ｂと仕切り壁３２ｃとを有するブラケット３２と、二つのティッシュペーパ束３３Ａ、３３Ｂとを備えてなり、図６に示すように、ブラケット３２の二つのリブ３２ａ、３２ｂにティッシュペーパ束３３Ａ、３３Ｂを掛けてから、ボックス本体３１の長手方向外方から該ボックス本体３１内に収容し得るように構成されている。
【００２３】
ボックス本体３１は、上面３１ａに、該ボックス本体の長さ方向に沿って伸びるティッシュペーパ取出口４１、４２を幅方向に並べて二つ備えている長手方向の面部３１ｂが蓋になっている点では、実施の形態１の場合と同一の構成であり、ボックス本体３１の長手方向外方から該ボックス本体３１内に収容し得る点で、実施の形態１の場合と相違する。
【００２４】
ブラケット３２は、板紙に二つの立ち上がり部を有するように折り線をプレスにより付与されてなり、折り線より折り上げると、両側に合掌状に立ち上がるリブ３２ａ、３２ｂとを有する。仕切り壁３２ｃがブラケット３２とは別部材で設けられている点で、実施の形態１の場合と相違する。
ティッシュペーパ束３３Ａ、３３Ｂは、実施の形態１の場合と同一の構成である。
【００２５】
この実施の形態２によれば、実施の形態１と同様に、ボックス本体３１の一つのティッシュペーパ束の収容空間の断面積が縦長矩形であっても、ティッシュペーパをティッシュペーパ取出口４１又は４２から取り出すとその下に積層された次のティッシュペーパの一部がティッシュペーパ取出口４１又は４２から引き出された状態を、最下層のティッシュペーパまで継続できる。
【００２６】
この実施の形態２によれば、ブラケット３２が、板紙を折り曲げることにより、二つのリブ３２ａ、３２ｂを備える構成であるので、ボックス本体３１内に収容できる状態に組み付けることが容易に行える。図７に示すように、冶具Ｇ２にブラケット３２を載せると、二つのリブ３２ａ、３２ｂがそれぞれが三角山となるように安定して広がる。そこで、一方のリブ３２ａの三角山にティッシュペーパ束３３Ａの下面中央を載せ、逆Ｕ字に折り曲げて掛け、次いで、他方のリブ３２Ｂの三角山にティッシュペーパ束３３Ｂの下面中央を載せ、逆Ｕ字に折り曲げて掛ける。実施の形態２では、リブ３２ａ、３２ｂが形成する三角山の距離が近いので、ティッシュペーパ束３３Ａ、３３Ｂを同時に掛けようとすると、干渉することになるので、順次に行うものとする。二つの三角山を閉じるようにして、逆Ｕ字に折り曲げたティッシュペーパ束３３Ａ、３３Ｂを持ち上げれば、ボックス本体３１内に収容できる状態になる。
【００２７】
このように、実施の形態２によれば、二つのリブ３２ａ、３２ｂが板紙を折り曲げてなる一体形状であるブラケット３２を用いるから、ティッシュペーパ束３３Ａ、３３Ｂを逆Ｕ字に折り曲げ二つのリブ３２ａ、３２ｂに掛けることが極めて容易にできて、これらリブ３２ａ、３２ｂと仕切り壁３２ｃとティッシュペーパ束３３Ａ、３３Ｂとがずれないように保持できるから、ボックス本体３１内に正しく収容することを容易に行える。
【００２８】
〔その他の実施の形態〕
本考案は、上記実施の形態にこれに限定されるものでなく、実用新案登録請求の範囲に記載された考案の要旨を逸脱しない範囲内での種々、設計変更した形態を技術的範囲に含むものである。本考案のボックス本体は、図８に示すように、底面部を二重蓋とする構成のボックス本体５１を用いることができ、また、図９に示すように、側面部を蓋とする構成のボックス本体５２を用いることができる。また、図１０に示すブラケット６１を用いることができる。このブラケット６１は、ベース部６１aと、二つのリブ６１ｂ、６１ｃと、仕切り壁部６１ｄとを有する樹脂押出成形体である。
【図面の簡単な説明】
【００２９】
【図１】実施の形態１に係り、ティッシュペーパボックスの長手方向に垂直な断面図である。
【図２】図１のティッシュペーパボックスに関し、ボックス本体にティッシュペーパ束を収容するところを示す斜視図である。
【図３】図１に示すティッシュペーパボックス束を示す正面図である。
【図４】図１のティッシュペーパ束を逆Ｕ字に折り曲げてブラケットを載せる一例を示す正面図である。
【図５】実施の形態２に係り、ティッシュペーパボックスの長手方向に垂直な断面図である。
【図６】図５のティッシュペーパボックスに関し、ボックス本体にティッシュペーパ束を収容するところを示す斜視図である。
【図７】図５のティッシュペーパ束を逆Ｕ字に折り曲げてブラケットを載せる一例を示す正面図である。
【図８】他の実施の形態に係るティッシュペーパボックスのボックス本体の斜視図である。
【図９】他の実施の形態に係るティッシュペーパボックスのボックス本体の斜視図である。
【図１０】他の実施の形態に係るティッシュペーパボックスのブラケットの斜視図である。
【符号の説明】
【００３０】
１０,３０                      ティッシュペーパボックス
１１,３１                      ボックス本体
１２ａ,１２ｂ, ３２ａ,３２ｂ  リブ
１２ｃ、３２ｃ                仕切り壁
１２,３２                      ブラケット
１３Ａ,１３Ｂ,３３Ａ,３３Ｂ    ティッシュペーパ束
２１,２２,４１,４２            ティッシュペーパ取出口
【図１】
0003139853.tif 000003
【図２】
0003139853.tif 000004
【図３】
0003139853.tif 000005
【図４】
0003139853.tif 000006
【図５】
0003139853.tif 000007
【図６】
0003139853.tif 000008
【図７】
0003139853.tif 000009
【図８】
0003139853.tif 000010
【図９】
0003139853.tif 000011
【図１０】
0003139853.tif 000012